(57)【特許請求の範囲】
【請求項１】
メモリを含むハンド保持形テスタを備え、該メモリのデータは交換可能であり、さらにこれらのデータを供給する固定局を備えている形式の車両の診断装置において、ハンド保持形テスタ（１０）からデータを要求するために、および固定局（１９）からハンド保持形テスタ（１０）へデータを伝送するために、ハンド保持形テスタ（１０）および固定局（１９）の中に、相互に無線で共働動作する送信装置（１６）と受信装置（１８）がそれぞれ設けられており、
該メモリは診断プログラムメモリ（１３）を有しており、
該ハンド保持形テスタは、前記診断プログラムメモリ（１３）に格納された診断プログラムに基づいて診断を行い、
少なくとも１つの新たな診断プログラムを受信するために、データ要求が必要な場合に行われるか、または予め行われ、
固定局は、車両のための診断プログラムのデータを受信するために、接続路（２３）を介して中央計算器（２５）に接続可能であり、
該固定局は、受信すべき診断プログラムのデータ量と比較して、大きな容量を有する固定局診断記憶ユニット（２１）を有することを特徴とする、車両の診断装置。
【請求項２】
送信装置（１６）と受信装置（１８）との間に赤外線接続路が設けられている、請求項１記載の装置。
【請求項３】
送信装置（１６）と受信装置（１８）の間に高周波無線接続路が設けられている、請求項１記載の装置。
【請求項４】
送信周波数が約１００ＭＨｚを上回わる、請求項３記載の装置。
【請求項５】
固定局が固定局診断プログラムメモリ（２１）を含む請求項１記載の装置。
【請求項６】
固定局診断プログラムメモリ（２１）がＣＤ‐ＲＯＭとして構成されている、請求項５記載の装置。
【請求項７】
固定局が接線路（２３）を介して中央計算機（２５）に接続可能である、請求項１又は５記載の装置。
【請求項８】
接続路（２３）が公衆通信回線（接続路）である、請求項７記載の装置。
【発明の詳細な説明】
【０００１】
【産業上の利用分野】
本発明は請求項１の上位概念に示されている車両たとえば自動車の診断装置を前提とする。
【０００２】
【従来技術】
専門誌、ＥＬＥＫＴＲＯＮＩＫ，２２、１９９３、第６４頁〜第６６頁に示されている、本発明の上位概念の装置は、記憶されている診断プログラムヘアクセスする、ハンド保持形テスタを含む。このハンド保持形テスタは、固定局と称される別個の計算器から、必要とされる相異なる診断プログラムを供給される。固定局は装置の製造者により装備されたＣＤ・ＲＯＭから診断プログラムを取り出す。メモリ容量が制限されているため、ハンド保持形テスタの中には、現時点で必要とされる診断プログラム−その選択はサービス技術者により、ハンド支持形のテスタの使用前に設定される−だけしか含まれていない。ハンド保持形テスタの中に記憶されていない診断プログラムを参照しなければならない時は、ハンド保持形テスタを、新たな診断プログラムのローディング（格納）の目的で、固定ステーションへ持参することが必要とされる。
【０００３】
【発明の解決すべき課題】
本発明の課題は、簡単に操作できる、自動車の診断装置を提供することである。
【０００４】
【課題を解決するための手段】
この課題は請求項１の特徴部分に示された構成により解決されている。
【０００５】
【発明の効果】
本発明の装置の利点は、自動車の診断の際に、ちょうど必要とされる診断プログラムがハンド保持形テスタの中に存在しないために生じ得る時間の遅れが回避されたことにある。ハンド保持形テスタの中にも固定局の中にも無線で共働する送信／受信装置が設けられている。ハンド保持形テスタからのデータ要求と、固定局からハンド保持形テスタへのデータ伝送は、サービス技術者が介入する必要なく、実施できる。そのためサービス技術者はわずらわされることなく診断に専念できる。
【０００６】
本発明の装置の別の利点は、ハンド保持形テスタの中で用いられるメモリ容量を著しく縮小できることにある。この構成によりハンド保持形テスタの製造コストが低減される。
【０００７】
本発明の有利な構成が従属形式の請求項に示されている。
【０００８】
本発明の構成によれば送信／受信装置は赤外線ビームと共働する。高電力の赤外線部品を使用すると、価格的に有利に実施することができる。
【０００９】
本発明の構成によれば送信／受信装置は高周波ビームを用いて共働する。この高周波無線接続の利点は高い到達距離にある。約１００ＭＨｚを上回わる伝送周波数は有利である。短かい波長によって、アンテナを小さい寸法で実現することができる。高い周波数領域において現われる指向性は作業場の建物の中で生ずる反射により減衰される。高い周波数を使用すると、高い帯域幅およびそれに応じた高い許容データ伝送速度が使用可能になる。
【００１０】
本発明の構成によれば、固定ステーションは大容量メモリたとえばＣＤ‐ＲＯＭを含む。ＣＤはいつでも、自動車の新型車用の新たな診断プログラムを含むＣＤと交換でき、例えば自動的（ＣＤチェンジャー）に交換することもできる。複数個のＣＤ駆動装置を同時に作動させることもできる。
【００１１】
本発明の構成によれば固定局は、必要とされる診断プログラムを供給する中央計算器と接続できる。この構成において固定局はメモリを含む必要はない。固有のメモリのない固定局は固定局における送信／受信装置の間のインターフェースとして、中央局との通信のために設けられている別の送信／受信装置のために用いられる。中央計算器への接続は公衆通信線路を介して形成される。固定局の中に大容量メモリが含まれている場合は、中央計算器へ例えば新たな診断プログラムの呼び出しのために、時折だけアクセスすればよい。
【００１２】
有利な発展形態と構成は別の従属形式の請求項に示されている。
【００１３】
次に本発明の実施例を図面を用いて説明する。
【００１４】
【実施例】
図はハンド保持形テスタ１０を示し、このテスタは図には示されていない自動車の診断のために設けられている。このハンド保持形テスタ１０は、組み込まれたインターフェース１１を介して、自動車と接続できる。ハンド保持形テスタ１０は、少なくとも基本機能を制御するためのデータを含む読み出し専用メモリ１２を含む。読み出し専用メモリ１２は診断プログラムメモリ１３により補完される。このメモリ１３は、自動車の診断のために必要とされる必須のプログラムを収容している。ハンド支持形テスタの操作は入力装置１４たとえばキーボードにより可能である。診断結果とサービス技術者の質問は表示装置１５を介して表示できる。ハンド保持形テスタ１０の中に収容されている第１の送信／受信装置１６は、固定局１９の中に収容されている第２の送信／受信装置１８へ無線接続路を形成する。
【００１５】
固定局１９は固定局読み出し専用メモリ２０ならびに固定局診断プログラムメモリ２１を含む。固定局１９の中に設けられている第３の送信／受信装置２２は、中央計算器２５の中に設けられている第４の送信／受信装置への接続路２３を形成する。
【００１６】
本発明による装置は次のように動作する：
自動車の診断のために設けられているハンド保持形テスタ１０は、診断プログラムメモリ１３の中に格納されている診断プログラムにもとづいて、診断を実施する。診断プログラムメモリ１３は、数個の診断プログラムの収容のために十分な制限されたメモリ容量を有する。メモリ容量をこのように制限することにより、ハンド保持形テスタ１０の構成が小さくなり、製造コストが低減される。
【００１７】
ハンド支持形テスタ１０は、必要に応じてまたは特別に前もって、必要とされる診断プログラムを無線接続路１７を介して固定局１９から要求する。どの付加的な診断プログラムが必要とされるか、またはどの診断プログラムが比較的高い確率でアクセスされるかに関する情報を、診断プログラムそのものの中に含むことができる。付加的な情報を読み出し専用メモリ１２の中に格納することができる。
【００１８】
新たな診断プログラムのための要求により、第１の送信／受信装置１６の送信部が作動される。この要求は第２の送信／受信装置１８の受信部により受信される。
【００１９】
第１および第２の送信／受信装置１６，１８間の無線接続路１７は例えば赤外線接続路として実施される。赤外線接続路はコスト的に有利に実施可能である。何故ならば、簡単に入手できる多数の部品に依存できるからである。
【００２０】
有利な構成においては無線の接続路１７は高周波無線接続として実現されている。例えば約１００ＭＨｚを上回わる周波数が適する。この周波数範囲において、小さい寸法で良好な電気的値を得るアンテナが実現できる。数１００ＭＨｚを上回わる、またはＧＨｚ範囲における値への周波数の設定は、放射される高い周波の指向性を形成する。しかしこの指向性は作業場内での反射により減衰される。
【００２１】
無線接続路１７の伝送周波数を高い値へ設定することは、高い帯域幅の使用の可能性を開き、このことが高いデータ伝送速度を可能にする。
【００２２】
固定局１９を制御する目的で固定局読み出し専用メモリ２０が設けられている。他方、診断プログラムは固定局診断プログラムメモリ２１の中に有利に格納されている。固定局診断プログラムメモリ２１は例えばＣＤＲＯＭとして実施される大容量メモリである。このＣＤは所定の期間をおいて製造者により新版に交換される。そのため常に最新の診断プログラムと情報（情報システム）が利用できる。固定局１９は作業場において１つだけ必要とされ、複数個のハンド保持形テスタ１０と共働できる。
【００２３】
本発明の構成によれば固定局１９は第３の送信／受信装置２２を介して、第４の送信／受信装置２４を含む中央計算器２５への接続路を形成する。中央計算器２５は例えば本発明の装置の製造者の許に置かれている。相異なる自動車製造者の許にこの種の中央計算器２５を設けて、これらの計算器へ選択的に情報を求めることもできる。第３の送信／受信装置２２と第４の送信／受信装置との接続路は、公衆通信接続線たとえば電話線、指向性無線絡または衛星を介しての接続路である。中央計算器２５は診断プログラムの最新版ならびに必要に応じて別の情報を供給する。
【００２４】
固定局１９が中央計算器２５と共働する時は、固定局１９は固有の固定局診断プログラムメモリ２１を用いずに構成できる。この場合この種の固定局１９の役割は、主として無線接続路１７と接続路２３との間のインターフェースとして動作することにある。有利に固定局１９は固定局診断プログラムメモリ２１を含む。その目的はハンド保持形テスタ１０からの各々の要求の場合、通常は費用の請求される接続路２３を毎回ごとに形成する必要をなくすためである。この場合、最新の診断プログラムを中央計算器２５から呼び出して固定局診断プログラムメモリ２１の中に格納するために、接続路２３を所期のように形成できる。
【図面の簡単な説明】
【図１】  本発明による自動車の診断装置のブロック図である。
【符号の説明】
１０    ハンド保持形テスタ
１１    インターフェース
１２    呼び出し専用メモリ
１３    診断プログラムメモリ
１４    入力装置
１５    表示装置
１６，１８，２２，２４    送信／受信装置
２５    中央計算器
【図１】
0003795552.tif 000002